(57)【要約】【課題】外筒の内部に収容した液体の全量を、外筒の外部に排出するための液体注入器具を提供する。【解決手段】液体注入器具１は、先端に排出口５が形成され、内部に試料溶液Ｌが収容される外筒２を有し、外筒２の先端の外周に、外筒２の内部と外部とを貫通する連通孔７Ａを有する取付部７が形成され、取付部７には第二注入器６が装着される構成をとる。【選択図】図５
0003219624.tif 000002
【実用新案登録請求の範囲】
【請求項１】
先端に液体排出口が形成され、内部に液体が収容される外筒を有し、
前記外筒の先端の外周に、前記外筒の内部と外部とを連通する連通孔を有する取付部が形成され、
前記取付部に、他の注入器具が装着される、
ことを特徴とする液体注入器具。
【請求項２】
前記取付部に、逆止弁が設けられ、
この逆止弁を介して、前記他の注入器具が前記取付部に装着される、
ことを特徴とする請求項１に記載の液体注入器具。
【請求項３】
前記他の注入器具が、注射器型又はパイプラインである、
ことを特徴とする請求項１又は請求項２に記載の液体注入器具。
【請求項４】
分取液体クロマトグラフ装置用である、
ことを特徴とする請求項１から請求項３の何れか１項に記載の液体注入器具。
【考案の詳細な説明】
【技術分野】
【０００１】
本考案は、液体注入器具に関し、例えば、分取液体クロマトグラフ装置に試料を注入する際に使用するものである。
【背景技術】
【０００２】
混合試料の中から目的の化合物を採取するために、分取液体クロマトグラフ装置が使用されている（例えば、特許文献１）。
【０００３】
図１は、一般的な分取液体クロマトグラフの工程を示している。分取液体クロマトグラフ装置では、溶媒タンク１０１に収容された溶媒（溶離液）１０２が、ポンプ１０３によって試料注入部１０４に送液される。そして、試料注入バルブ１０４ａ，１０４ｂを経由して分取カラム１０５に流れ、分取カラム１０５を通過後、検出器１０６を経由し、廃液タンク１０７へと連続的に流れる。
【０００４】
一方、試料注入流路は、試料注入口１１１から試料注入バルブ１０４ｃ、サンプルループ１０９（試料注入量の１．２倍から１．５倍の内容積を有する）、試料注入バルブ１０４ｆ、試料注入バルブ１０４ｅからオーバーフロー溜め１１０に至る。この試料注入流路は、常に溶媒１０２によって満たされている。
【０００５】
分取液体クロマトグラフ装置に試料を注入するには、注射器の針管を試料注入口１１１に挿入し、注射器の内部の試料を装置に流し込むことで、サンプルループ１０９の内部が試料で満たされる。次に、試料注入バルブ１０４を点線の流路に切り替えることでサンプルループ１０９の内部の試料を分取カラム１０５に注入することができる。注入された試料は、分取カラム１０５を通過する間に化合物ごとに分離され、検出器１０６を通過して廃液タンク１０７へ流れる。この際、検出器１０６からの信号を利用することによって、目的の化合物の採取のタイミングや化合物の化学組成を知ることができ、目的の化合物を採取瓶１０８に分取することができる。
【先行技術文献】
【特許文献】
【０００６】
【特許文献１】特開２０１８−１１５９４５号公報
【考案の概要】
【考案が解決しようとする課題】
【０００７】
しかし、従来使用されている注射器では、押子を最先端まで押し込んでも、外筒内の間隙や注射針の内部に、試料の一部が残存してしまうため、試料の全量を注入することができないという問題があった。
【０００８】
また、通常のＨＰＬＣ装置を使用する場合は、全量を注入しなくとも、試料の定性分析や定量分析ができるが、分取液体クロマトグラフ装置を使用する場合は、試料の全量を注入できることが強く要望されている。例えば、化学合成によって得られた試料や天然物化学分野での貴重な試料は全量を注入した後、全量を採取した後、バイオアッセイ目的やそれを出発物質として使用したいとの要望が強い。すなわち、分取液体クロマトグラフによる分離の段階では、試料の一部を失いたくないため、残存した試料をもう一度注射器内に取り込み、規定量まで溶媒で希釈した後、再注入をすることで、試料の全量を注入している。しかし、再注入を行う場合、分離する時間を要することに加え、溶媒の浪費が生じている。
【０００９】
そこで、本考案は、外筒の内部に収容した液体の全量を、外筒の外部に排出するための液体注入器具を提供することを目的とする。
【課題を解決するための手段】
【００１０】
本考案に係る液体注入器具は、先端に液体流出口が形成され、内部に液体が収容される外筒を有し、外筒の先端の外周に、外筒の内部と外部とを連通する連通孔を有する取付部が形成され、取付部には他の注入器具が装着されることを特徴とする。
【００１１】
本考案に係る液体注入器具は、他の注入器具が、逆止弁を介して、取付部に装着されることを特徴とする。
【００１２】
本考案に係る液体注入器具は、他の注入器具が、注射器型、又はパイプラインであることを特徴とする。
【００１３】
本考案に係る液体注入器具は、分取液体クロマトグラフ装置用であることを特徴とする。
【考案の効果】
【００１４】
本考案に係る液体注入器具は、先端の外周に連通孔を有する取付部が形成され、この取付部に他の注入器を装着させることができる。そうすると、他の注入器から溶媒を流し込むことができ、残存していた試料の全量（規定量）を液体注入器具の外部に排出させることができる。
【００１５】
本考案に係る液体注入器具において、他の注入器具は、逆止弁を介して、取付部に装着することができ、液体注入器具の内部の試料が逆流して、液体注入器具の外部に漏れ出すことを防止できる。この他の注入器具には、注射器型の器具やパイプラインを使用することができる。
【００１６】
本考案に係る液体注入器具は、分取液体クロマトグラフ装置に試料を注入する際に使用することで、例えば、測定後に試料の全量を採取し、その試料をバイオアッセイに使用する場合や、その試料に含まれた物質を出発物質として使用する場合に非常に有効である。
【図面の簡単な説明】
【００１７】
【図１】分取液体クロマトグラフの工程を示す図である。
【図２】本考案に係る液体注入器具の断面図である。
【図３】本考案に係る液体注入器具に取り付けられる逆止弁の断面図である。
【図４】本考案に係る液体注入器具を使用する手順を説明するための図である。
【図５】本考案に係る液体注入器具を使用する手順を説明するための図である。
【図６】本考案に係る液体注入器具を使用する手順を説明するための図である。
【考案を実施するための形態】
【００１８】
本考案に係る液体注入器具は、外筒に収容した液体を内部に残存させないために使用されるものであり、本実施形態では、分取液体クロマトグラフ装置に試料を注入する際に使用する分取液体クロマトグラフ用試料溶液注入器具を例に説明する。
【００１９】
以下、本実施形態に係る試料注入器を、図２及び図３を参照し、説明する。
【００２０】
本実施形態に係る液体注入器具（分取液体クロマトグラフ用試料溶液注入器具）としての試料注入器１は、図２に示すように、内部に試料溶液Ｌが収容される外筒２と、この外筒２の先端に設けられた針管３と、外筒２の内部を自在に摺動する押子４とを備えている。
【００２１】
なお、本実施形態において、試料溶液Ｌとは、溶媒に対し、分取したい物質（目的の物質）を溶解あるいは分散させた溶液を意味する。
【００２２】
外筒２の先端には、軸方向に向けて排出口５が形成され、この排出口５に針管３が取り付けられている。外筒２の先端の外周には、注入器６が取り付けられるための取付部７が１つ形成されている。以下、注入器６と試料注入器１を区別するために、注入器６を第二注入器６と記す。
【００２３】
取付部７は、円環状であり、この取付部７には、外筒２の内部と取付部７の内部とを連通する連通孔７Ａ（貫通孔）が形成されている。この連通孔７Ａは、外筒２の側部、かつ外筒２の先端面２Ａに限りなく近い位置に形成されていることが好ましい。
【００２４】
取付部７には、図３に示した逆止弁８が接続され、この逆止弁８の取付部７が接続された側と反対側に、第二注入器６が装着される。このように、第二注入器６は、逆止弁８を介して、試料注入器１に装着される。この第二注入器６には、例えば、ルアロック型の注射器を使用できる。
【００２５】
第二注入器６の内部には、試料の溶媒と同種の溶媒Ｓが収容され、第二注入器用押子９を押し込むことで、溶媒Ｓは、第二注入器６の先端の溶媒排出口６Ａを通過し、試料注入器１の内部に流入する。
【００２６】
逆止弁８は、取付部７の内部に挿入される挿入部１０と、第二注入器６の先端に接続される接続部１１とを有している。挿入部１０の内部には、通路１２が形成され、逆止弁８を取付部７に取り付けた際、この通路１２は、連通孔７Ａと連通される。接続部１１の先端には、外周に向けて突起部１３が形成されており、この突起部１３が第二注入器６の先端に形成された溝に嵌められることで、逆止弁８と第二注入器６は嵌合される。なお、第二注入器６は、逆止弁８に対し、着脱可能とされている。
【００２７】
逆止弁８の内部には、ルビー玉１４が設けられており、このルビー玉１４が上下方向に移動することで、溶媒排出口６Ａの開状態と閉状態が制御される。
【００２８】
次に、本実施形態に係る試料注入器１の使用方法について、図４から図６を参照して説明する。
【００２９】
まず、図４に示すように、試料注入器１の内部に、目的の試料溶液Ｌを規定量だけ収容し、分取液体クロマトグラフ装置の試料注入口に針管３を挿入し、押子４を試料注入口側に移動させ、試料溶液Ｌを分取液体クロマトグラフ装置に注入する。押子４を外筒２の先端まで押し込んだ後、外筒２の先端と押子４との間の間隙や針管３の内部には、微量の試料溶液Ｌが残存する。
【００３０】
なお、この操作は、試料注入器１の内部から試料が漏れ出すことを防止するために、連通孔７Ａと通路１２に塞ぎ栓（図示しない）が取り付けられた状態で実施する。
【００３１】
次に、塞ぎ栓を取り外し、図５に示すように、溶媒Ｓが収容された第二注入器６を、試料注入器１の下側から逆止弁８に接続する。そして、第二注入器６を装着させた状態で、図６に示すように、第二注入器６が試料注入器１の上側に配置されるように、試料注入器１を１８０度回転させる。その後、第二注入器６の第二注入器用押子９を操作し、第二注入器６の内部の気泡を除いた後、第二注入器用押子９を下側に押し込み、溶媒Ｓを外筒２の先端と押子４との間の間隙に流し込む。
【００３２】
間隙に溶媒Ｓが流し込まれると、間隙や針管３の内部に残存する試料溶液Ｌは、分取クロマトグラフ装置に向けて、注入される。残存した試料溶液Ｌの容量よりも大きな容量の溶媒Ｓが外筒２の内部に流し込まれると、残存していた全ての試料溶液Ｌが分取液体クロマトグラフ装置に注入される。そうすると、試料溶液Ｌの全量がサンプルループに流し込まれ、サンプルループは、試料溶液Ｌで満たされる。
【００３３】
次に、本実施形態に係る試料注入器１の作用効果について、説明する。
【００３４】
本実施形態に係る試料注入器１は、先端の外周に連通孔７Ａを有する取付部７が形成されているため、この取付部７に第二注入器６を装着させることで、第二注入器６の内部と試料注入器１の内部とを連通されることができる。
【００３５】
そうすると、押子４を外筒２の先端まで押し込んだ後、外筒２の先端と押子４との間の間隙に、第二注入器６から溶媒Ｓを流し込むことができ、外筒２の先端と押子４との間の間隙や針管３の内部に残存していた試料溶液Ｌの全量（規定量）をクロマトグラフ装置に注入することができる。
【００３６】
したがって、本実施形態に係る試料注入器１を使用することで、複数回注入する手間を省くことに加え、溶媒Ｓの浪費を回避できる。
【００３７】
本実施形態に係る試料注入器１では、第二注入器６は、逆止弁８を介して、取付部７に装着される。取付部７と第二注入器６との間に逆止弁８を設けることで、試料注入器１の内部の試料溶液Ｌが逆流して、試料注入器１の外部に漏れ出すことを防止できる。
【００３８】
試料溶液Ｌが試料注入器１の外部に漏れ出すことを防止することで、試料の全量（規定量）を分取液体クロマトグラフ装置に注入することができ、試料を無駄にすることなく、測定することができる。
【００３９】
また、逆止弁８や第二注入器６は、取り付け、又は取り外しが可能であるため、使用後、洗浄し、何度でも使用することができる。
【００４０】
本実施形態に係る試料注入器１は、特に、天然物化学分野における貴重な試料を測定したい場合に有効な器具である。例えば、測定後に試料の全量を採取し、その試料をバイオアッセイに使用する場合や、その試料に含まれた物質を出発物質として使用する場合に非常に有効である。
【００４１】
以上、本実施形態について説明したが、これ以外にも、本考案の主旨を逸脱しない限り、上記実施の形態で挙げた構成を取捨選択したり、他の構成に適宜変更することが可能である。
【００４２】
本実施形態では、第二注入器６を使用した例を示したが、試料注入器１の内部に溶媒Ｓを流し込めるものであれば、第二注入器６に限定されず、例えば、パイプラインを使用することができる。パイプラインを使用することで、一定量の溶媒Ｓを試料注入器１の内部に流し込むことができる。
【符号の説明】
【００４３】
１      試料注入器（液体注入器具）
２      外筒
２Ａ    先端面
３      針管
４      押子
５      排出口（液体排出口）
６      注入器（第二注入器）
６Ａ    溶媒排出口
７      取付部
７Ａ    連通孔
８      逆止弁
９      第二注入器用押子
１０    挿入部
１１    接続部
１２    通路
１３    突起部
１４    ルビー玉
１０１  溶媒タンク
１０２  溶媒（溶離液）
１０３  ポンプ
１０４  試料注入部
１０４ａ〜１０４ｆ  試料注入バルブ
１０５  分取カラム
１０６  検出器
１０７  廃液タンク
１０８  採取瓶
１０９  サンプルループ
１１０  オーバーフロー溜め
１１１  試料注入口
Ｌ      試料溶液
Ｓ      溶媒
【図１】
0003219624.tif 000003
【図２】
0003219624.tif 000004
【図３】
0003219624.tif 000005
【図４】
0003219624.tif 000006
【図５】
0003219624.tif 000007
【図６】
0003219624.tif 000008